(57)【要約】【課題】  予め袋状に形成された包装袋の内面に小袋を貼着する作業を効率よく行うことができる包装袋への小袋の貼着装置及びその貼着方法を提供すること。【解決手段】  帯状体３から切り離した小袋ａを１個づつ放出する小袋自動供給部１と、グリップ対ｇによって吊り下げ状に支持される包装袋ｄの上方に配置されて小袋自動供給部から供給される小袋を包装袋に投入するシュート２１と、包装袋に投入される直前の小袋を受け止め及び解放するシャッター手段２５と、そのシャッター手段により受け止められた縦向き姿勢の小袋に接着剤を塗布するホットメルトガン３５と、包装袋の所定部位を絞るように密着させる押圧手段４０と、小袋ａを押圧することにより接着剤３７を介して包装袋ｄの内面に圧着させる圧着手段４５とを備えた小袋の投入・貼着部２０とからなる。【選択図】  図１
2005132394.tif 000002
【特許請求の範囲】
【請求項１】
脱酸素剤又は乾燥剤を封入した小袋を包装袋の内面に貼り付ける包装袋への小袋の貼着装置であって、
前記小袋が一定間隔で連続的に形成された帯状体から切り離した小袋を１個づつ放出する小袋自動供給部と、
袋口を開放させた状態でグリップ対によって吊り下げ状に支持される包装袋の上方に配置されていて、前記小袋自動供給部から供給される小袋を包装袋に投入するシュートと、包装袋に投入される直前の小袋を受け止めるストッパー片を該シュートに出没自在に設けたシャッター手段と、そのシャッター手段により受け止められた縦向き姿勢の小袋の一方の面に接着剤を塗布する接着剤塗布手段と、包装袋の所定高さの部位を押圧することにより当該部位を絞るように密着させる押圧手段と、前記ストッパー片の退避動作により包装袋内に落下投入され、かつ、その押圧手段により絞られた部位の真上に留まる小袋を両側から押圧することにより、当該小袋を前記接着剤を介して当該包装袋の内面に圧着させる圧着手段とを備えた小袋の投入・貼着部と、
から構成されたことを特徴とする包装袋への小袋の貼着装置。
【請求項２】
前記押圧手段及び圧着手段を包装袋に対して上下方向に移動調節可能に設けたことを特徴とする請求項１に記載の包装袋への小袋の貼着装置。
【請求項３】
前記シュートの下端部を上下方向に移動自在に設け、前記小袋が包装袋に投入される際に、その下端部の放出口を包装袋の袋口に挿入するように設けたことを特徴とする請求項１又は２に記載の包装袋への小袋の貼着装置。
【請求項４】
脱酸素剤又は乾燥剤を封入した小袋を包装袋の内面に貼り付ける包装袋への小袋の貼着方法であって、
前記小袋が一定間隔で連続的に形成された帯状体から切り離した小袋を１個づつ放出する小袋自動供給工程と、
袋口を開放させた状態でグリップ対によって吊り下げ状に支持される包装袋の上方に配置されたシュートにより、前記小袋自動供給部から供給される小袋を包装袋に投入する投入工程と、
そのシュートに出没自在に設けたストッパー片により包装袋に投入される直前の小袋を一旦受け止めた状態にて縦向き姿勢の小袋の一方の面に接着剤を塗布し、ついで、前記ストッパー片を退避させて小袋を解放する接着剤塗布工程と、
包装袋の所定高さの部位を押圧手段により押圧することにより当該部位を絞るように密着させる押圧工程と、
包装袋内に落下投入されて該押圧手段により絞られた部位の真上に留まる小袋を両側から押圧することにより、当該小袋を前記接着剤を介して当該包装袋の内面に圧着させる圧着工程と、
からなることを特徴とする包装袋への小袋の貼着方法。
【発明の詳細な説明】
【技術分野】
【０００１】
本発明は、脱酸素剤又は乾燥剤が封入された小袋を包装袋の内面に貼り付ける包装袋への小袋の貼着装置及びその貼着方法に関するものである。
【背景技術】
【０００２】
菓子やラーメン等の食品類が収容されている包装袋内には、食品類の鮮度を保持するために小袋に封入された脱酸素剤や乾燥剤が収められている。その小袋が包装袋に固定されていない場合には、例えば、食品類を包装袋から取り出して調理容器に移し替える際に一緒に入ってしまってそのまま調理されてしまう虞があった。また、幼児が小袋内の脱酸素剤や乾燥剤を菓子と誤認して食べてしまうという事故も生ずると言われている。
【０００３】
かかるトラブルを解消するために、小袋を包装袋に固定する方法が提案されている。例えば、特開平１０−３０５８１８号公報の「縦型製袋充填包装装置及び包装方法」には、シート状包装材から連続的に形成される包装袋の内側に、鮮度保持体を自動的に固定する技術内容が開示されている。
【０００４】
上記公開特許公報に記載された内容によれば、予め小袋を適宜間隔に固定したシート状包装材から包装袋が成形されている。他方、特開２００１−１７１８９６号公報の「貼着装置」には、予め袋状に形成された包装袋の内面に鮮度保持体を粘着層を介して貼着する技術内容が開示されている。
【特許文献１】特開平１０−３０５８１８号公報
【特許文献２】特開２００１−１７１８９６号公報
【発明の開示】
【発明が解決しようとする課題】
【０００５】
本発明の目的は、予め袋状に形成された包装袋の内面に小袋を貼着する作業を効率よく行うことができる包装袋への小袋の貼着装置及びその貼着方法を提供することにある。
【課題を解決するための手段】
【０００６】
前記目的を達成するために請求項１に記載した発明は、脱酸素剤又は乾燥剤を封入した小袋を包装袋の内面に貼り付ける包装袋への小袋の貼着装置であって、
前記小袋が一定間隔で連続的に形成された帯状体から切り離した小袋を１個づつ放出する小袋自動供給部と、
袋口を開放させた状態でグリップ対によって吊り下げ状に支持される包装袋の上方に配置されていて、前記小袋自動供給部から供給される小袋を包装袋に投入するシュートと、包装袋に投入される直前の小袋を受け止めるストッパー片を該シュートに出没自在に設けたシャッター手段と、そのシャッター手段により受け止められた縦向き姿勢の小袋の一方の面に接着剤を塗布する接着剤塗布手段と、包装袋の所定高さの部位を押圧することにより当該部位を絞るように密着させる押圧手段と、前記ストッパー片の退避動作により包装袋内に落下投入され、かつ、その押圧手段により絞られた部位の真上に留まる小袋を両側から押圧することにより、当該小袋を前記接着剤を介して当該包装袋の内面に圧着させる圧着手段とを備えた小袋の投入・貼着部と、
から構成されたことを特徴とする。
【０００７】
同様の目的を達成するために請求項２に記載した発明は、請求項１に記載の包装袋への小袋の貼着装置において、前記押圧手段及び圧着手段を包装袋に対して上下方向に移動調節可能に設けたことを特徴とするものである。
【０００８】
同様の目的を達成するために請求項３に記載した発明は、請求項１又は２に記載の包装袋への小袋の貼着装置において、前記シュートの下端部を上下方向に移動自在に設け、前記小袋が包装袋に投入される際に、その下端部の放出口を包装袋の袋口に挿入するように設けたことを特徴とするものである。
【０００９】
同様の目的を達成するために請求項４に記載した発明は、脱酸素剤又は乾燥剤を封入した小袋を包装袋の内面に貼り付ける包装袋への小袋の貼着方法であって、
前記小袋が一定間隔で連続的に形成された帯状体から切り離した小袋を１個づつ放出する小袋自動供給工程と、袋口を開放させた状態でグリップ対によって吊り下げ状に支持される包装袋の上方に配置されたシュートにより、前記小袋自動供給部から供給される小袋を包装袋に投入する投入工程と、そのシュートに出没自在に設けたストッパー片により包装袋に投入される直前の小袋を一旦受け止めた状態にて縦向き姿勢の小袋の一方の面に接着剤を塗布し、ついで、前記ストッパー片を退避させて小袋を解放する接着剤塗布工程と、包装袋の所定高さの部位を押圧手段により押圧することにより当該部位を絞るように密着させる押圧工程と、包装袋内に落下投入されて該押圧手段により絞られた部位の真上に留まる小袋を両側から押圧することにより、当該小袋を前記接着剤を介して当該包装袋の内面に圧着させる圧着工程と、からなることを特徴とする。
【発明の効果】
【００１０】
この包装袋への小袋の貼着装置及びその貼着方法は、脱酸素剤又は乾燥剤を封入した小袋を、予め袋状に形成された包装袋の内面に貼着する作業を効率よく行うことができ、この装置が適用される自動包装機の包装能力の向上に資する。
【００１１】
また、この小袋の貼着装置は、押圧手段及び圧着手段を包装袋に対して上下方向に移動調節可能に設けているので、サイズの異なる包装袋の任意の高さに小袋を貼着させることができる。
【００１２】
さらに、この小袋の貼着装置は、小袋が包装袋に投入される際に、シュートの下端部を包装袋の袋口に挿入するように設けているので、小袋の落下投入を確実に安定して行わせることができる。
【発明を実施するための最良の形態】
【００１３】
以下に、本発明の最良の形態例を図面に基づいて説明する。図１は包装袋への小袋の貼着装置の概要を示す説明図、図２は小袋の投入・貼着部の説明図、図３は包装袋内に小袋が貼着された状態を示す説明図である。
【００１４】
図１において、本発明の包装袋への小袋の貼着装置Ａは、小袋自動供給部１と、小袋の投入・貼着部２０とから構成されている。
【００１５】
小袋自動供給部１においては、リール２にロール状に巻き付けられた帯状体３がガイドローラ５、６に誘導されて繰出され、さらに押さえローラ７を介して一対のフィードローラ８により鉛直方向に間欠的に送り出されるように設けられている。その帯状体３は、フィードローラ８の下部に配置されたカッター手段１０によって、一定間隔で連続的に形成された小袋ａと小袋ａとの間のヒートシール部４を切断することにより、１個づつの小袋ａに切り離されるように設けられている。１１は前記ヒートシール部４を検出するセンサーであり、このセンサー１１はカッター手段１０の切断動作制御に関連して設置されている。
【００１６】
前記帯状体３に一定間隔で形成された各々の小袋ａには、脱酸素剤又は乾燥剤が封入されている。
【００１７】
小袋の投入・貼着部２０は、前記小袋自動供給部１から供給される小袋ａを包装袋ｄに投入するシュート２１、シャッター手段２５、接着剤塗布手段としてのホットメルトガン３５、押圧手段４０及び圧着手段４５とから構成されている。
【００１８】
図２に示すように、シュート２１は少なくとも下方部を縦向きに設けられていて、放出口２２の近くの対向する側壁に開口部２３，２４を夫々形成している。このシュート２１は、グリップ対ｇによって袋口ｅを開放した状態で吊り下げ状に支持される包装袋ｄの上方に配置される。
【００１９】
なお、シュート２１については、上記開口部２３，２４よりも下方に別途設けた放出シュート（図示せず）を上下方向に移動自在とし、その放出シュートを包装袋の袋口に挿入した状態にて小袋を包装袋に投入するように設けることも可能である。
【００２０】
包装袋ｄについては、予め袋状に形成された形態のものであれば使用可能であり、一般的な平袋、ガゼット袋等を対象とする。また、この包装袋への小袋の貼着装置Ａは、公知の直線移動式包装機やロータリー式包装機に適用可能に構成されている。これらの包装機では、包装袋を掴着又は開放する多数のグリップ対ｇが多数の作業工程間を間欠移動するように設けられている。
【００２１】
シャッター手段２５は、横から見てＬ字形のストッパー片２７を空圧シリンダー２６のロッド２６ａの先端に取り付け、その空圧シリンダー２６の作動により該ストッパー片２７の水平部２７ａを前記シュート２１の開口部２３に出没自在に設けている。
【００２２】
しかして、このシャッター手段２５は、ストッパー片２７の水平部２７ａが前進移動した状態で前記小袋自動供給部１から供給される縦向き姿勢の小袋ａを一旦受け止め、後記ホットメルトガン３５により当該小袋ａの一方の面に接着剤が塗布されてから、そのストッパー片２７を後退移動させて該小袋ａを包装袋ｄに向けて落下させるように設けられている。
【００２３】
ホットメルトガン３５は、その先端部３５ａを前記シュート２１の開口部２４に臨むように配置されている。
【００２４】
しかして、このホットメルトガン３５は、縦向き姿勢の小袋ａが前記ストッパー片２７の水平部２７ａにより受け止められたときに、当該小袋ａの一方の面に接着剤３７を塗布するように設けられている。
【００２５】
押圧手段４０は、包装袋ｄの表裏側に空圧シリンダー４１，４１を夫々配置し、各空圧シリンダー４１のロッド４１ａの先端に取り付けた押さえ片４２を対向するように設けている。それら押さえ片４２の前面には、軟質材料からなるパッド４３を固着している。
【００２６】
しかして、この押圧手段４０は、空圧シリンダー４１，４１の作動によって包装袋ｄの所定高さの部位を押さえ片４２，４２にて押圧することにより、当該部位を絞るように密着させるように設けられている。
【００２７】
圧着手段４５は、上記押圧手段４０の構成と同様に、包装袋ｄの表裏側に空圧シリンダー４６，４６を夫々配置し、各空圧シリンダー４６のロッド４６ａの先端に取り付けた押さえ片４７を対向するように設けている。それら押さえ片４７の前面には、軟質材料からなるパッド４８が固着されている。
【００２８】
しかして、この圧着手段４５は、前記ストッパー片２７の退避動作により包装袋ｄ内に落下投入され、かつ、押圧手段４０により絞られた部位の真上に留まる小袋ａを押さえ片４７，４７にて両側から押圧することにより、当該小袋ａを前記接着剤３７を介して当該包装袋ｄの内面に圧着させるように設けられている。
【００２９】
なお、上記押圧手段４０及び圧着手段４５については、包装袋に対して手動又は自動により上下方向に移動調節可能に設けることにより、サイズの異なる包装袋の任意の高さに小袋ａを貼着させることができる。
【００３０】
つぎに、上記構成になる包装袋への小袋の貼着装置Ａの作動について説明する。
（１）小袋自動供給部１において、リール２にロール状に巻き付けられた帯状体３はガイドローラ５、６に誘導されて繰出され、さらに押さえローラ７を介して一対のフィードローラ８により鉛直方向に間欠的に送り出される。
（２）カッター手段１０によって帯状体３に形成された小袋ａと小袋ａとの間のヒートシール部４が適宜タイミングで切断されることにより、帯状体３から１個づつ切り離された小袋ａが下方のシュート２１に自由落下する。
（３）シュート２１に供給された小袋ａは、シャッター手段２５のストッパー片２７によって一旦受け止められ、ホットメルトガン３５により当該小袋ａの一方の面に接着剤３７が塗布される。
（４）このときに、包装袋ｄは、押圧手段４０の作動によって所定高さの部位を押さえ片４２，４２により押圧されて当該部位を密着された状態に保持されている。
（５）ついで、シャッター手段２５のストッパー片２７の後退移動により、小袋ａが包装袋ｄに向けて落下する。
（６）小袋ａは押圧手段４０により絞られた部位の真上に留まり、ついで、圧着手段４５の作動によって小袋が押さえ片４７，４７により押圧されることにより、当該小袋ａは、図３に示すように、接着剤３７を介して当該包装袋ｄの内面に圧着される。
（７）包装袋ｄの内面に小袋ａが貼着されると、押圧手段４０の押さえ片４２，４２、及び圧着手段４５の押さえ片４７，４７が元位置に後退移動するので、包装袋ｄは次工程への移動を可能とされる。
しかして、（１）〜（７）に示した一連の動作が繰り返されることにより、包装袋ｄに小袋ａが自動的に連続して貼着される。
【００３１】
以上に述べた通り、この包装袋への小袋の貼着装置及びその貼着方法は、脱酸素剤又は乾燥剤を封入した小袋を自由落下作用を利用して包装袋内に投入させることにより、包装袋に小袋を貼着する作業を効率よく行うことができる。
【図面の簡単な説明】
【００３２】
【図１】包装袋への小袋の貼着装置の概要を示す説明図
【図２】小袋の投入・貼着部の説明図
【図３】包装袋内に小袋が貼着された状態を示す説明図
【符号の説明】
【００３３】
Ａ・・・包装袋への小袋の貼着装置
１・・・小袋自動供給部
３・・・帯状体
ａ・・・小袋
１０・・・カッター手段
２０・・・小袋の投入・貼着部
２１・・・シュート
２５・・・シャッター手段
２７・・・ストツパー片
３５・・・ホットメルトガン（接着剤塗布手段）
３７・・・接着剤
４０・・・押圧手段  ４２・・・押さえ片
４５・・・圧着手段  ４７・・・押さえ片
ｂ・・・包装袋  ｅ・・・袋口
【図１】
2005132394.tif 000003
【図２】
2005132394.tif 000004
【図３】
2005132394.tif 000005